(57)【要約】      （修正有）【課題】スーツケースにおいて、表面を保護しつつ、フック機能を強化することができる構造を提供することを課題とする。【解決手段】スーツケース１０の外表面に、複数の保護用突起１１を設ける。これで、外表面が保護される。加えて、複数の保護用突起の少なくとも１つは、環状突起４０とする。環状突起に小物袋３１の輪ひも３２を引っ掛けることができる。輪ひもは環状突起から外れることはない。すなわち、フック機能を強化することができる。環状突起は、何時でも環を開放することができる。【選択図】図２
2018158131.tif 000002
【特許請求の範囲】
【請求項１】
床に置いたときや他のスーツケースに段積みしたときに外表面に傷が付かないように、前記外表面に保護用突起が設けられているスーツケースであって、
前記保護用突起は複数個設けられ、少なくとも１個は環状突起とされ、
この環状突起は、前記スーツケースを構成するケース本体又はこのケース本体の開口を塞ぐ蓋体に設けられるベース部材と、このベース部材に揺動自在に一端が止められ前記ベース部材とで環を形成する輪形成部材と、この輪形成部材に移動可能に収納され一部が前記輪形成部材の他端から突出するノック部材とを備え、
このノック部材は前記ベース部材に設けられるロック孔に嵌るロック爪を一体的に備え、このロック爪が前記ロック孔に嵌ったときに前記ベース部材と前記輪形成部材により前記環を形成するように構成されていることを特徴とするスーツケース。
【請求項２】
床に置いたときや他のスーツケースに段積みしたときに外表面に傷が付かないように、前記外表面に保護用突起が設けられているスーツケースであって、
前記保護用突起は複数個設けられ、少なくとも１個は環状突起とされ、
この環状突起は、前記スーツケースを構成するケース本体又はこのケース本体の開口を塞ぐ蓋体に設けられるベース部材と、このベース部材に揺動自在に一端が止められ前記ベース部材とで環を形成する輪形成部材と、前記ベース部材に移動可能に収納され一部が前記ベース部材から突出するノック部材とを備え、
このノック部材は前記輪形成部材に設けられるロック孔に嵌るロック爪を一体的に備え、このロック爪が前記ロック孔に嵌ったときに前記ベース部材と前記輪形成部材により前記環を形成するように構成されていることを特徴とするスーツケース。
【請求項３】
請求項１又は請求項２記載のスーツケースは、キャスターを備えていることを特徴とするスーツケース。
【請求項４】
前記ノック部材は、前記キャスターが前記床に接しているときに、前記輪形成部材又は前記ベース部材から上へ突出するように鉛直に配置されていることを特徴とする請求項３記載のスーツケース。
【請求項５】
請求項４記載のスーツケースは、前記キャスターが備えられている底面と、この底面に平行であって前記キャスターから最も離れている上面と、この上面及び前記底面で挟まる４つの側面とを有する６面体であり、
前記４つの側面の少なくとも１つの側面に前記環状突起が設けられていることを特徴とするスーツケース。
【請求項６】
前記保護用突起は、前記ケース本体及び前記蓋体と異色であることを特徴とする請求項１又は請求項２記載のスーツケース。
【発明の詳細な説明】
【技術分野】
【０００１】
本発明は、外表面に保護用突起が設けられているスーツケースに関する。
【背景技術】
【０００２】
外表面に保護用突起が設けられているスーツケースが、好んで使用される。保護用突起の高さの分だけ、外表面が床や隣のスーツケースから離れるため、スーツケースの外表面に傷が付きにくくなるという利点がある。
保護用突起の有効利用を図る構造が各種提案されている（例えば、特許文献１（図１）参照）。
【０００３】
特許文献１の図１に示されように、スーツケース（１）（括弧付き数字は、特許文献１に記載された符号を示す。以下同様）は、保護用突起に相当する台座（１１）を備えている。この台座（１１）はフック機能部（１２）を備えている。フック機能部（１２）は使用状態で上へ開くＵ溝である。
Ｕ溝であるため、小物袋（Ｐ）を引っ掛けることができる。台座（１１）は、保護機能に加えてフック機能を発揮するため、付加価値が高まる。
【０００４】
ところで、スーツケース（１）はキャスタ（８）を備えている。キャスタ（８）を床上走行させれば、大型のスーツケースであっても楽に移動することができる。
この移動の際に、床の段差や路上の縁石を超える場合がある。このときにスーツケース（１）は上下動する。すると、小物袋（Ｐ）がＵ溝状のフック機能部（１２）から外れることがある。
【０００５】
Ｕ溝を深くすることである程度の対応が可能であるが、Ｕ溝を深くすると台座（１１）の強度が低下し、本来の保護機能に影響がでる。そのため、特許文献１でのＵ溝は比較的浅い。
スーツケース（１）の使われ方が多様化する中、保護機能を維持しつつ、フック機能を強化することができる構造が求められる。
【先行技術文献】
【特許文献】
【０００６】
【特許文献１】実用新案登録第３１８１８３８号公報
【発明の概要】
【発明が解決しようとする課題】
【０００７】
本発明は、スーツケースにおいて、表面を保護しつつ、フック機能を強化することができる構造を提供することを課題とする。
【課題を解決するための手段】
【０００８】
請求項１に係る発明は、床に置いたときや他のスーツケースに段積みしたときに外表面に傷が付かないように、前記外表面に保護用突起が設けられているスーツケースであって、
前記保護用突起は複数個設けられ、少なくとも１個は環状突起とされ、
この環状突起は、前記スーツケースを構成するケース本体又はこのケース本体の開口を塞ぐ蓋体に設けられるベース部材と、このベース部材に揺動自在に一端が止められ前記ベース部材とで環を形成する輪形成部材と、この輪形成部材に移動可能に収納され一部が前記輪形成部材の他端から突出するノック部材とを備え、
このノック部材は前記ベース部材に設けられるロック孔に嵌るロック爪を一体的に備え、このロック爪が前記ロック孔に嵌ったときに前記ベース部材と前記輪形成部材により前記環を形成するように構成されていることを特徴とする。
【０００９】
請求項２に係る発明は、床に置いたときや他のスーツケースに段積みしたときに外表面に傷が付かないように、前記外表面に保護用突起が設けられているスーツケースであって、
前記保護用突起は複数個設けられ、少なくとも１個は環状突起とされ、
この環状突起は、前記スーツケースを構成するケース本体又はこのケース本体の開口を塞ぐ蓋体に設けられるベース部材と、このベース部材に揺動自在に一端が止められ前記ベース部材とで環を形成する輪形成部材と、前記ベース部材に移動可能に収納され一部が前記ベース部材から突出するノック部材とを備え、
このノック部材は前記輪形成部材に設けられるロック孔に嵌るロック爪を一体的に備え、このロック爪が前記ロック孔に嵌ったときに前記ベース部材と前記輪形成部材により前記環を形成するように構成されていることを特徴とする。
【００１０】
請求項３に係る発明では、請求項１又は請求項２記載のスーツケースは、キャスターを備えていることを特徴とする。
【００１１】
請求項４に係る発明では、ノック部材は、キャスターが床に接しているときに、輪形成部材又はベース部材から上へ突出するように鉛直に配置されていることを特徴とする。
【００１２】
請求項５に係る発明では、請求項３記載のスーツケースは、キャスターが備えられている底面と、この底面に平行であってキャスターから最も離れている上面と、この上面及び底面で挟まる４つの側面とを有する６面体であり、４つの側面の少なくとも１つの側面に環状突起が設けられていることを特徴とする。
【００１３】
請求項６に係る発明では、保護用突起は、ケース本体及び蓋体と異色であることを特徴とする。
【発明の効果】
【００１４】
請求項１に係る発明では、外表面に保護用突起としての環状突起を備えている。環状突起はノック部材を操作することで開閉が可能である。
環状突起に小物袋の輪ひもを引っ掛けた場合、環状突起であるから輪ひもが上へ外れる心配がない。すなわち、フック機能が強化される。
よって、請求項１によれば、スーツケースの外表面を保護しつつ、フック機能を強化することができる構造が提供される。
【００１５】
請求項２に係る発明では、外表面に保護用突起としての環状突起を備えている。環状突起はノック部材を操作することが開閉が可能である。
環状突起に小物袋の輪ひもを引っ掛けた場合、環状突起であるから輪ひもが上へ外れる心配がない。すなわち、フック機能が強化される。
よって、請求項２によれば、スーツケースの外表面を保護しつつ、フック機能を強化することができる構造が提供される。
【００１６】
なお、請求項１ではノック部材が輪形成部材に設けられるが、請求項２ではノック部材はベース部材に設けられる。請求項２の方が輪形成部材の構造が簡単になり、輪形成部材は軽量化が図れる。
一方、請求項１では、ノック部材が輪形成部材に設けられているため、ノック部材が手前に配置され、結果、ノック部材の操作性が高まる。
【００１７】
請求項３に係る発明では、スーツケースはキャスターを備えている。キャスターを備えているため、スーツケースは重くても差し付けなく、スーツケースの大型化が達成できる。
【００１８】
請求項４に係る発明では、ノック部材は、輪形成部材又はベース部材から上へ突出する。ノック部材が上に突出しているため、ノック部材を容易に押し下げることができる。
【００１９】
請求項５に係る発明では、請求項４記載のスーツケースは、底面と、上面と、この上面及び底面で挟まる４つの側面とを有する６面体であり、４つの側面の少なくとも１つの側面に環状突起が設けられている。環状突起を設けることにより、任意の側面の外表面を保護することができる。
【００２０】
請求項６に係る発明では、保護用突起は、ケース本体及び蓋体と異色である。スーツケースが、カラフルとなり、意匠性を高めることができる。また、似たようなスーツケースが並ぶ場合であっても、保護用突起が目印となり、自分のスーツケースを容易に発見することができる。従来のタグやハンカチなどの目印が不要となる。
【図面の簡単な説明】
【００２１】
【図１】本発明に係るスーツケースの使用形態を示す図である。
【図２】スーツケースの斜視図である。
【図３】環状突起の斜視図である。
【図４】環状突起の分解斜視図である。
【図５】環状突起の断面図である。
【図６】環状突起の作用図である。
【図７】別の形態のスーツケースを示す図である。
【図８】環状突起の変更例を示す図である。
【図９】更に別の形態のスーツケースを示す図である。
【図１０】更に別の形態のスーツケースを示す図である。
【図１１】環状突起の変更例を示す図である。
【図１２】環状突起の更なる変更例を示す図である。
【発明を実施するための形態】
【００２２】
本発明の実施の形態を添付図に基づいて以下に説明する。なお、請求項１に係る発明は図１〜図１１で説明し、請求項２に係る発明は図１２に基づいて説明する。
【実施例】
【００２３】
図１に示すように、スーツケース１０は大型の箱型鞄であり、外表面１６に保護用突起１１、１１を備えている。保護用突起１１、１１を取付ける面の反対側の面に側面ハンドル１２及びファスナーのスライダー１３、１３を備える。
一方の保護用突起１１は通常の突起１５であり、他方の保護用突起１１は、本発明の環状突起４０である。
【００２４】
保護用突起１１、１１を備えることでスーツケース１０の外表面１６が床１７に接触しないため、床１７に起因する傷が外表面１６に発生しない。また、複数のスーツケース１０を段積みした場合にも接触による傷が外表面１６に発生しない。
【００２５】
図２に示すように、スーツケース１０は、ケース本体１８と、このケース本体１８の開口を塞ぐ蓋体１９とからなる箱型鞄であり、キャスター２１が備えられている底面２２と、この底面２２に平行であってキャスター２１から最も離れている上面２３と、この上面２３及び底面２２で挟まる４つの側面２４〜２７とを有する６面体である。
【００２６】
図１において、４つの側面２４〜２７は、第１側面２４、第２側面２５、この第２側面２５の反対側の面である第３側面２６及び第４側面２７とからなる。第１側面２４に側面ハンドル１２及びスライダー１３、１３が設けられ、第４側面２７に保護用突起１１、１１が設けられている。
【００２７】
図２に示すように、上面２３に引き出し可能なキャリーハンドル２８及び上面ハンドル２９が設けられ、第４側面２７に４個の保護用突起１１が設けられている。４個の保護用突起１１のうち、キャスター２１に近い位置に通常の突起１５、１５が設けられ、キャスター２１から遠い位置に環状突起４０、４０が設けられている。
【００２８】
環状突起４０に、小物袋３１の輪ひも３２が引っ掛けられている。環状突起４０はキャスター２１から十分に離れているため、小物袋３１の底が床１７に触れる心配はない。なお、小物袋３１はバッグ、手提げ鞄、買い物袋、ビニール袋など小物を入れる袋であれば種類は問わない。また、輪ひも３２は、小物袋３１の上部から延びる逆Ｕ字形又は○状の手持ち部であれば、種類は問わない。
【００２９】
環状突起４０の構造は後述するが、環状突起４０は構造が複雑であるため、通常の突起１５より高価になる。通常の突起１５には、貫通孔３３が形成されている。貫通孔３３の形状は略Ｄ環状としたが、これに限定されず単純な輪形状であっても差し支えない。通常の突起１５に貫通孔３３を形成することで、カラビナやひもを使って物を掛けることができる。なお、実施例では、通常の突起１５に貫通孔３３を形成したがこれに限定されず、貫通孔３３が形成されていない通常の突起１５を使用しても差し支えない。
図２では上部の２個を環状突起４０としたが、１個と環状突起４０とし、他の１個を通常の突起１５にすることは差し支えない。すなわち、複数の保護用突起１１を備えたスーツケース１０において、少なくとも１個が環状突起４０であればよい。個数が少ないほどスーツケース１０の製造コストを低減することができるからである。
【００３０】
また、ケース本体１８や蓋体１９と、保護用突起１１を同色にする他、異色にしてもよい。異色の場合は、カラフルとなり、スーツケース１０の意匠性に特長を持たせることができる。
この場合、通常の突起１５と環状突起４０を同色にする他、異色にしてもよい。異色の場合は、さらにカラフルとなる。
【００３１】
空港のターンテーブル上などには似たようなスーツケース１０が並ぶ。一般にタグや布（ハンカチやスカーフ）を付けて目印とするが、上記のように異色にすることで、識別性が高まる。すなわち、異色にすることにより、通常の突起１５及び／又は環状突起４０が目印となり、タグや布が不要となる。
【００３２】
次に、図３〜図５に基づいて、環状突起４０の好適な構造を説明する。
図４に示すように、環状突起４０は、ベース部材４１と、このベース部材４１にピン４２を介して一端４３ａが止められる輪形成部材４３と、この輪形成部材４３の他端４３ｂに収納されるノック部材４５及びスプリング４６とからなる。
【００３３】
ベース部材４１は、平板部４７と、この平板部４７の一端から上に延びる第１柱部４８と、この第１柱部４８の上部に一体形成されたピン孔４９付き支持部５１と、平板部４７の他端から上に延びる第２柱部５２と、この第２柱部５２の上部に一体形成されたロック孔５３つき支持部５４とを備える。
【００３４】
輪形成部材４３は、一端４３ａにピン孔５５を有し、側面の途中に長孔状のガイド孔５６を備える棒状の部材である。ガイド孔５６は両側面に各々設けることが望ましいが、一方の側面だけに設けることは差し支えない。
【００３５】
ノック部材４５は、輪形成部材４３にスライド可能に嵌る棒状部５８と、この棒状部５８の正面に形成される指掛け部５９と、棒状部５８の背面から延ばされるロッド部６１と、棒状部５８の側面から延ばされガイド孔５６に嵌るガイド突起６２とを備える。棒状部５８は下部が局部的に切り欠かれており、この切り欠き部６３にロック孔５３に嵌るロック爪６４を備えている。
【００３６】
これらを組み立てると、図３に示す環状突起４０が得られる。ノック部材４５の一部が輪形成部材４３の他端４３ｂから突出している。また、輪形成部材４３の他端４３ｂの幅は、第２柱部５２の上部の幅と同じ若しくは小さい。結果、輪形成部材４３に下向き外力が加わっても輪形成部材４３が第２柱部５２で支持され、それ以上の揺動が阻止される。
【００３７】
図５に示すように、ベース部材４１がケース本体１８又は蓋体１９にビス６５、６５で固定される。輪形成部材４３は、他端４３ｂ側にノック部材４５を移動可能に収納する収納溝６６を備え、一端４３ａ側にロッド部６１を移動可能に収納するロッド収納部６７を備える。
ベース部材４１と輪形成部材４３とで、環６８が形成され、この環６８に小物袋の輪ひも（図６、符号３２）が収納される。ロック爪６４がロック孔５３に嵌っているため、輪ひも（図６、符号３２）が環６８から外れる心配はない。
【００３８】
指掛け部５９を人為的に押すとスプリング４６が圧縮され、ロッド部６１がロッド収納部６７へ進入する。加えて、ガイド突起６２がガイド孔（図４、符号５６）で案内される。ロッド部６１とガイド突起６２が案内されるため、ノック部材４５が輪形成部材４３から外れる心配はない。
指掛け部５９が押されたので、ロック爪６４がロック孔５３から外れる。次に、ピン４２を中心にして、輪形成部材４３が揺動される（図では上げられる）。
【００３９】
図６は、図５の作用図であり、図５と同一要素には図５の符号を流用し、詳細な説明は省略する。なお、図６は図２と同じ向きにした。
図６に示すように、環６８が開放された。結果、輪ひも３２を矢印（１）のように環状突起４０から外すことができる。又は、矢印（２）のように外から輪ひも３２を環状突起４０内へ入れることができる。この後、ノック部材４５を押しながら、ロック爪６４をロック孔５３へ嵌めればよい。これで、図２のようになる。
【００４０】
なお、スーツケース１０には、図２に示すキャスター２１を備えるものと、キャスター２１を備えないものがある。
キャスター２１を備えないスーツケース１０であっても、環状突起４０に輪ひも３２を引っ掛けることができる。
よって、キャスター２１を備えるスーツケース１０に本発明の環状突起４０を付設することを原則とするが、キャスター２１を備えないスーツケース１０に本発明の環状突起４０を付設することは差し付けない。
【００４１】
次に、本発明の変更例を説明する。
図７に示すように、第４側面２７に複数個（この例では４個）の保護用突起１１を設ける場合に、４個全てを環状突起４０にしてもよい。キャスター２１に近い方の環状突起４０には、犬用のリード（引き綱）６９の輪ひも３２を掛けることができる。又は、グループ旅行の場合、仲間のスーツケース同士を紐で結ぶことがある。この紐の輪ひも３２をキャスター２１に近い方の環状突起４０に掛けることができる。よって、環状突起４０の用途は、小物袋３１を引っ掛ける用途に限定されるものではない。
【００４２】
図８に示すように、環状突起４０の形状は適宜変更可能である。
すなわち、図８（ａ）に示すように、ベース部材４１及び輪形成部材４３は長方形にしてもよい。
図８（ｂ）に示すように、ベース部材４１及び輪形成部材４３を長方形にした上で、ノック部材４５に丸みを持たせてもよい。
図８（ｃ）に示すように、ベース部材４１の角を丸めてもよい。
また、図８（ｄ）に示すように、ベース部材４１を長円形にしてもよい。
【００４３】
図９に示すように、保護用突起１１を第３側面２６（及び／又は第２側面２５）に設けてもよい。複数のスーツケース１０が段積みされる場合に、側面２５、２６に傷が付くことを防止できる。
又は、図１０に示すように、保護用突起１１を第１側面２４に設けてもよい。この場合は、保護用突起１１で側面ハンドル１２及びスライダー１３を保護することができる。
【００４４】
よって、図９において、４つの側面２４〜２７の任意の面に保護用突起１１を設けることができる。ただし、保護用突起１１には、少なくとも１個の環状突起４０を含める。
【００４５】
環状突起４０の更なる変更例を次に説明する。
図１１（ａ）に示すように、ロック爪６４の先端に第１テーパー面７１を形成する。そして、支持部５４に第１テーパー面７１に対応する第２テーパー面７２を形成する。
なお、スプリング４６でノック部材４５がピン４２から離れる方向へ付勢されるが、ガイド突起６２がガイド孔（図３、符号２６）で位置規制される。位置規制された状態で、第１テーパー面７１と第２テーパー面７２が局部的に重なるように第１・第２テーパー面７１、７２が形成されている。
【００４６】
ノック部材４５に触れることなく、輪形成部材４３の他端４３ｂを押す（矢印（３））。すると、第１・第２テーパー面７１、７２のテーパー作用により、ノック部材４５はスプリング４６を圧縮する側へ移動する。移動（矢印（３））を継続すると、ロック孔５３にロック爪６４が嵌る。
結果、図１１（ｂ）の形態になる。図１１（ｂ）では、ノック部材４５を人為的に移動（矢印（４））することで、図１１（ａ）にすることができる。
【００４７】
次に、図１２に基づいて、環状突起４０の更なる変更例を説明する。
図１２（ａ）に示すように、ノック部材４５は、ベース部材４１に設けてもよい。ベース部材４１が棒状となり、輪形成部材４３がＣ形状になる。
図１２（ｂ）にて、ノック部材４５を人為的に押すと、図１２（ａ）に示すように、ロック孔５３からロック爪６４が外れ、ピン４２を中心に輪形成部材４３を揺動させることができる。
【００４８】
図１１と図１２から明らかなように、ノック部材４５は、ベース部材４１と輪形成部材４３との何れに設けてもよい。
ただし、図１２の構造であれば、ノック部材４５がベース部材４１に設けられているため、輪形成部材４３の構造が簡単になり、軽くなる。反面、ノック部材４５が奥に配置され、ノック部材４５の操作がやや難しくなる。
この点、図１１の構造であれば、ノック部材４５が輪形成部材４３に設けられ、ノック部材４５が手前に配置されるため、操作が容易になる。
【００４９】
尚、スーツケース１０は、旅行用スーツケースの他、アタッシュケース、通常のハードケースであってもよく、サイズや用途は任意である。
【産業上の利用可能性】
【００５０】
本発明は、保護用突起を備えたスーツケースに好適である。
【符号の説明】
【００５１】
１０…スーツケース
１１…保護用突起
１５…通常の突起
１６…スーツケースの外表面
１７…床
１８…ケース本体
１９…蓋体
２１…キャスター
２２…底面
２３…上面
２４〜２７…４つの側面
３１…小物袋
３２…輪ひも
４０…環状突起
４１…ベース部材
４２…ピン
４３…輪形成部材
４３ａ…輪形成部材の一端
４３ｂ…輪形成部材の他端
４５…ノック部材
５３…ロック孔
６４…ロック爪
６８…環
【図１】
2018158131.tif 000003
【図２】
2018158131.tif 000004
【図３】
2018158131.tif 000005
【図４】
2018158131.tif 000006
【図５】
2018158131.tif 000007
【図６】
2018158131.tif 000008
【図７】
2018158131.tif 000009
【図８】
2018158131.tif 000010
【図９】
2018158131.tif 000011
【図１０】
2018158131.tif 000012
【図１１】
2018158131.tif 000013
【図１２】
2018158131.tif 000014